(57)【要約】【課題】ベッドの背上げ機構により背上げした状態から体位変換することなく前方へ立ち上がることが可能なベッドにおいて、このベッドの両側部に取り付けられ、十分な落下防止がなされ、さらに立ち上がりの際にはしっかりとした手掛かりとなる把持部を備えたサイドレールを安価に提供すること。【解決手段】ベッドに着脱可能に設けられた固定柵部と、この固定柵部の前方寄りに前後方向の軸心周りに回動可能に具備された回動把持部とからなるサイドレールにおいて、前記固定柵部は少なくとも側面視においてベッド上で仰臥した使用者の肩部から膝部までの範囲で落下防止できる大きさであるとともに、立設状態にあるこの固定柵部に対して回動把持部は正面視において、下方向きに斜交した状態から上方回動自在に構成した。【選択図】        図１
2005013444.tif 000002
【特許請求の範囲】
【請求項１】
ベッドに着脱可能に設けられた固定柵部と、この固定柵部の前方寄りに前後方向の軸心周りに回動可能に具備された回動把持部とからなるサイドレールにおいて、前記固定柵部は少なくとも側面視においてベッド上で仰臥した使用者の肩部から膝部までの範囲で落下防止可能な大きさとするとともに、立設状態にあるこの固定柵部に対して回動把持部は正面視において、下方向きに斜交した状態から上方回動自在に構成したことを特徴とするサイドレール。
【請求項２】
回動把持部の下端部を使用者の膝部程度の高さから上方回動自在に固定柵部に枢着したことを特徴とする請求項１記載のサイドレール。
【発明の詳細な説明】
【０００１】
【発明が属する技術分野】
本発明は、ベッドのサイドレールに関するもので、詳しくは、高齢者や療養者等が使用するベッドの両側部に取り付けることにより不測の落下を防止するための安全枠として機能するとともに、立ち上がりの際の手掛かりとすることも可能なサイドレールに関するものである。
【０００２】
【従来の技術】
従来、高齢者や療養者が使用するベッドには、大きく分けると２種類あった。一つは、仰臥した状態から立ち上がるためにベッド側部で端座位をとらなければならないものであり、二つ目はベッドに具備された背上げ機構により背凭れ部分を起立させると、それに連動するように足元が開放され椅子状の形態に変形するものである。この二つ目のベッドにおいてはベッドの使用者は使用者自身が身体を向きを変えることなく、ベッドの背上げ機構を作動させるだけで椅子に座った状態となるので、そのまま立ち上がることができ、非常に至便なものである。
このようなベッドには、通常仰臥している状態ではベッド上の物あるいは使用者が不測に落下するのを防止するためにベッドの両側部にサイドレールが具備されている。また、このサイドレールは使用者が立ち上がる際には使用者の手掛かりとして使用しやすいものが良い。このようなサイドレールの一つとして、ベッドに脱着可能に設けられた固定手摺部と、この固定手摺部の前後方向一端側に前後方向の軸心回りに回動可能な回動手摺部とからなる手摺とし、この手摺の回動手摺部は、垂下した状態と略々水平状に保持される状態とに姿勢変更可能に構成したものがある。
【０００３】
【特許文献１】
特開平９−１０２６４号公報
【０００４】
この従来の技術によれば、ベッドの背上げ機構に連動するように背凭れ部と腰受部が略々Ｌ字状に屈曲した状態で側方へ約９０度旋回することによって、このベッドの使用者は自ら体位変換することなくベッドの背上げ機構等により立ち上がり前の姿勢をとることが可能となるベッドが示されている。
このように、ベッド上で仰臥姿勢から端座位をとったような姿勢にすることが可能なベッドには、ベッドの両側部に取り付けられるサイドレール自体が立ち上がる際の手掛かりとして有効に機能する。しかしながら、この技術によれば、固定テスリ部の前後方向一端部に回動手摺部が具備されて構成されているものである。そして、この回動手摺部はベッドに装着した状態で、垂下した状態から外側上方へ回動し、約２７０度の回動後、略々水平状に保持されるよう構成されたものである。そのために、この回動把持部は落下防止として機能することがなく、固定手摺部の範囲に限り落下防止されるものであり、使い方によっては使用者の足等が床部から落下する恐れがある。また、この回動テスリ部は略々水平状の位置で保持して立ち上がり時の手掛かりとして使用されるものであるが、この状態では回動テスリ部が比較的高い位置となっており、使用者が自らの身体を押し上げるようにしても力の入れにくい位置となっている。
【０００５】
【発明が解決しようとする課題】
解決しようとする問題点は、ベッドの背上げ機構により背上げした状態から体位変換することなく前方へ立ち上がることが可能なベッドにおいて、このベッドの両側部に取り付けられ、十分な落下防止がなされ、さらに立ち上がりの際にはしっかりとした手掛かりとなる把持部を備えたサイドレールを安価に提供することを課題としている。
【０００６】
【課題を解決するための手段】
請求項１の発明は、ベッドに着脱可能に設けられた固定柵部と、この固定柵部の前方寄りに前後方向の軸心周りに回動可能に具備された回動把持部とからなるサイドレールにおいて、前記固定柵部は少なくとも側面視においてベッド上で仰臥した使用者の肩部から膝部までの範囲で落下防止可能な大きさとするとともに、立設状態にあるこの固定柵部に対して回動把持部は正面視において、下方向きに斜交した状態から上方回動自在に構成したことを特徴とする。
請求項２の発明は、回動把持部の下端部を使用者の膝部程度の高さから上方回動自在に固定柵部に枢着したことを特徴とする。
【０００７】
請求項１の発明では、ベッド上で仰臥状態にある使用者の側部に固定柵部を着脱可能に設けており、この固定柵部は少なくとも使用者の肩部から膝部までの大きさとすることで、使用者自らが落下するのを防止している。そして、この固定柵部の前方寄りに前後方向の軸心周りに回動自在な回動把持部を設け、この回動把持部が固定柵部に対して下方向きに斜交した状態から上方に回動するよう取り付けられることによって、床部とこの回動把持部間に何らかのものが挟まれた場合にも回動把持部が上方回動自在なので怪我あるいは破損させることがない。
また、請求項２の発明では、回動把持部を使用者の膝部程度の高さから上方回動自在に固定柵部に枢着しているので、ベッドの使用者が立ち上がりの際にこの低い位置に配置した回動把持部を手掛かりとして使用するようになる。このように低い位置に把持部を位置させることによって、使用者は自らの身体を上方に押し上げることなく、前方への重心の移動により上体をベッドから浮かせることができ、容易に立ち上がることができるよう構成されている。
【０００８】
【発明の実施の形態】
つぎに、本発明の実施形態に係るサイドレールを図面に基づいて説明する。
第１図は本発明の一実施形態に係るサイドレールを示す全体斜視図である。第２図はその全体側面図である。第３図はその全体正面図である。第４図はそのサイドレールをベッドに取り付けた状態状態を示す説明図であり、（ａ）図はベッドがフラットな状態を示す説明図、（ｂ）図は背上げ機構に連動して脚受部及び腰受部が作動した状態を示す説明図、（ｃ）図はベッドの背上げ機構により椅子状に形態を変化させた状態を示す説明図である。第５図はベッドがフラットな場合の装着状態を示す全体側面図である。第６図は立ち上がりの様子を示す側面図である。第７図は使用状態を示す全体正面図である。第８図は別の回動把持部を示す全体正面図である。
【０００９】
このサイドレール１は、ベッドＢのサイドフレームＳもしくはマットレス等を支持するボトム等に設けられたサイドレール取付孔Ｈ，Ｈ，・・・に挿通される固定柵部２と、この固定柵部２内の前方寄りに上下に回動自在に枢支された回動把持部３とから主に構成されている。
【００１０】
まず、固定柵部２について説明する。この固定柵部２は、パイプ等を曲げて略々矩形状に形成した枠パイプ４内に下端部に固定軸５を止着した支持パイプ６を固着している。さらに、支持パイプ６，６間には補強パイプ７及び遮蔽杆８を固着している。なお、前記固定軸５はサイドレール取付孔Ｈと略々同径の小径軸部５ａとこの小径軸部５ａの上部に一体的に構成されている鍔部５ｂからなる。
【００１１】
そして、前側の支持パイプ６と枠パイプ４の前側垂直部４ａの適所には、同一直線上を軸心とする空孔軸受部６ａ，４ｂが設けられている。この空孔軸受部には回動把持部が軸承される。
【００１２】
前記回動把持部３は略々コ字状に曲折したパイプ９の両端部近傍に横杆１０を固着し、さらにパイプ９の両端部に前記空孔軸受部６ａ，４ｂに挿通可能な小径軸部１１ａを備えた回動軸１１をそれぞれ固着して構成したものである。
【００１３】
上記のように構成された固定柵部２の空孔軸受部４ｂ，６ａに回動把持部３の小径軸部１１ａ，１１ａを挿通し、抜け止めすることで固定柵部２に対して回動把持部３が回動自在に枢着されて、本発明に係るサイドレール１は構成されている。なお、前記横杆１０が枠パイプ４に接触する範囲内でこの回動把持部３は回動自在かつ、下方向きに斜交した状態で保持されている。
【００１４】
次に第４図に基づいて、上記の構成によるサイドレール１の使用方法について説明する。
このサイドレール１は、第４図（ａ）図に示すように、ベッドＢの両側部に具備されているサイドレール取付孔Ｈ，Ｈ，・・・に挿嵌して使用する。なお、サイドレール１の固定軸５，５に雌ネジ部（図示省略）を螺刻し、前記サイドレール取付孔Ｈ，Ｈ，・・・に挿嵌後ネジ部材（図示省略）を螺着することによって、サイドレール１を強固に固定することも可能である。
また、第４図（ａ）図に示すように、このサイドレール１はベッドＢの縦方向に対して比較的広い範囲（第５図に示すように使用者がベッドＢ上で仰臥した姿勢で側面視において、肩部から膝部までの範囲）の落下防止として機能している。このように少なくとも、使用者Ｍの肩部から膝部までの範囲で落下防止できる固定柵部２であれば、少なくとも使用者Ｍ自身の落下を防止することができるサイドレール１とすることができる。
【００１５】
次に、上述のようにベッドＢ上で仰臥している状態から、図示しないベッドＢの背上げ機構を作動させ、背受部を徐々に起立させる。このとき、ベッドＢによっては背上げに連動するように腰受部の前端部が上方に回動するものもある（第４図（ｂ）図参照）。この場合には、サイドレール１の回動把持部３の水平把持部３ａがベッドＢの床部に接触する場合がある。また、前記回動把持部３と床部間に何らかのものが挟まる場合がある。しかしながら、この回動把持部３は固定柵部２に対して下方向きに斜交した状態で上方に回動自在に枢着されているので、床部の上昇にあわせ該回動把持部３も上方回動し、怪我や物品の破損等を起こさないよう配慮されている。
【００１６】
そして、図示しないベッドＢの背上げ機構による背上げが完了すれば、脚受部は第４図（ｃ）のように腰受部下方に収納される状態となり、あるいは腰受部先端を回動の基端として下方回動させることによって、側面視において椅子に腰掛けた状態とすることが可能である。このときに、サイドレール１の回動把持部３が使用者Ｍの膝部近傍に位置しているので、比較的低い位置で把持部を握ることが可能となり、着座姿勢から前方へ倒れこむような動き（第６図中符号イ→ロ→ハ→ニ参照）をすると回動把持部３を握っている使用者Ｍの手が見た目上の回動の基端となっており、あまり上下に身体を移動させること無く、前方方向への重心の移動のみで臀部を上げ、立ち上がることができ、使用者Ｍにあまり負担をかけることなく楽に立ち上がることができる。
【００１７】
また、この回動手摺部３は自重により下方回動側に付勢された状態となっており、使用者Ｍが使用する布団等の押さえとして機能させることもできる。
さらに、第８図に示すように、ベッドＢに装着したサイドレール１，１の回動把持部３，３の水平把持部３ａ，３ａを正面視においてより内側となるよう構成することもできる。このように使用者Ｍに応じて回動把持部３の水平把持部３ａ，３ａ間隔を設定することで、立ち上がる際の力の入れやすい位置に水平把持部３ａ，３ａを位置させることが可能になる。
【００１８】
【発明の効果】
請求項１の発明では、ベッドＢ上で仰臥状態にある使用者Ｍの側部に固定柵部２を着脱可能に設けており、この固定柵部２は少なくとも使用者Ｍの肩部から膝部までの大きさとすることで、使用者Ｍ自らが落下するのを防止している。そして、この固定柵部２の前方寄りに前後方向の軸心周りに回動自在な回動把持部３を設け、この回動把持部３が固定柵部２に対して下方向きに斜交した状態から上方に回動するよう取り付けられることによって、床部とこの回動把持部３間に何らかのものが挟まれた場合にも回動把持部３が上方回動自在なので怪我あるいは破損させることがない。
また、請求項２の発明では、回動把持部３を使用者Ｍの膝部程度の高さから上方回動自在に固定柵部２に枢着しているので、ベッドＢの使用者Ｍが立ち上がりの際にこの低い位置に配置した回動把持部３を手掛かりとして使用するようになる。このように低い位置での把持部により、使用者Ｍは自らの身体を上方に押し上げることなく、前方への重心の移動により上体をベッドＭから浮かせることができ、容易に立ち上がることができるよう構成されている。
【図面の簡単な説明】
【図１】本発明の一実施形態に係るサイドレールを示す全体斜視図
【図２】その全体側面図
【図３】その全体正面図
【図４】そのサイドレールをベッドに取り付けた状態状態を示す説明図
（ａ）ベッドがフラットな状態を示す説明図
（ｂ）背上げ機構に連動して脚受部及び腰受部が作動した状態を示す説明図
（ｃ）ベッドの背上げ機構により椅子状に形態を変化させた状態を示す説明図
【図５】ベッドがフラットな場合の装着状態を示す全体側面図
【図６】立ち上がりの様子を示す側面図
【図７】使用状態を示す全体正面図
【図８】別の回動把持部を示す全体正面図
【符号の説明】
１    サイドレール
２    固定柵部
３    回動把持部
Ｂ    ベッド
Ｈ    サイドレール取付孔
Ｓ    サイドフレーム
【図１】
2005013444.tif 000003
【図２】
2005013444.tif 000004
【図３】
2005013444.tif 000005
【図４】
2005013444.tif 000006
【図５】
2005013444.tif 000007
【図６】
2005013444.tif 000008
【図７】
2005013444.tif 000009
【図８】
2005013444.tif 000010